(57)【要約】  ユーザ装置は、マスタノードまたはセカンダリノードである基地局装置から品質測定の指示を受信する受信部と、前記指示に従って前記品質測定を行う制御部を有し、前記制御部は、前記品質測定を所定の間欠受信設定に従って行う。
2020031332.tif 000002
【特許請求の範囲】
【請求項１】
マスタノードまたはセカンダリノードである基地局装置から品質測定の指示を受信する受信部と、
前記指示に従って前記品質測定を行う制御部を備え、
前記制御部は、前記品質測定を所定の間欠受信設定に従って行う、
ユーザ装置。
【請求項２】
前記制御部は、前記指示の送信元である前記基地局装置がマスタノードであるかセカンダリノードであるかに関わらず、測定対象セルの無線アクセス技術のセルグループにおける間欠受信設定に従って前記品質測定を行う、
請求項１に記載のユーザ装置。
【請求項３】
前記制御部は、前記指示を送信する前記基地局装置における間欠受信設定に従って前記品質測定を行う、
請求項１に記載のユーザ装置。
【請求項４】
前記受信部は、前記品質測定をマスタノードの間欠受信設定に従って行うかセカンダリノードの間欠受信設定に従って行うかの指示を前記基地局装置から受信する、
請求項１に記載のユーザ装置。
【請求項５】
品質測定の指示をユーザ装置に送信する送信部を備え、
前記送信部は、前記品質測定をマスタノードの間欠受信設定に従って行うかセカンダリノードの間欠受信設定に従って行うかの指示をユーザ装置に送信する、
基地局装置。
【請求項６】
マスタノードまたはセカンダリノードである基地局装置から品質測定の指示を受信するステップと、
前記指示に従って前記品質測定を行うステップと、を備え、
前記品質測定を行うステップにおいて、前記品質測定は所定の間欠受信設定に従って行われる、
ユーザ装置の測定方法。
【発明の詳細な説明】
【技術分野】
【０００１】
本発明は、無線通信システムにおけるユーザ装置及び制御方法に関する。
【背景技術】
【０００２】
ＬＴＥ（Ｌｏｎｇ  Ｔｅｒｍ  Ｅｖｏｌｕｔｉｏｎ）の後継システムであるＮＲ（Ｎｅｗ  Ｒａｄｉｏ）（「５Ｇ」ともいう。）においては、要求条件として、大容量のシステム、高速なデータ伝送速度、低遅延、多数の端末の同時接続、低コスト、省電力等を満たす技術が検討されている（例えば非特許文献１）。【０００３】
ユーザ装置がＤＲＸ（Ｄｉｓｃｏｎｔｉｎｕｏｕｓ  Ｒｅｃｅｐｔｉｏｎ（間欠受信））状態である場合の自セル及び周辺セルのセル品質の測定時間（Ｍｅａｓｕｒｅｍｅｎｔ  ｐｅｒｉｏｄ）は、設定されたＤＲＸ  ｃｙｃｌｅの整数倍として規定されている（例えば非特許文献２）。
【先行技術文献】
【非特許文献】
【０００４】
【非特許文献１】３ＧＰＰ  ＴＳ  ３８．３００  Ｖ１５．２．０（２０１８−０６）
【非特許文献２】３ＧＰＰ  ＴＳ  ３８．１３３  Ｖ１５．０．０（２０１８−０６）
【発明の概要】
【発明が解決しようとする課題】
【０００５】
デュアルコネクティビティ（Ｄｕａｌ  Ｃｏｎｎｅｃｔｉｖｉｔｙ（ＤＣ））時、ユーザ装置はマスタノード（Ｍａｓｔｅｒ  Ｎｏｄｅ（ＭＮ））及びセカンダリノード（Ｓｅｃｏｎｄａｒｙ  Ｎｏｄｅ（ＳＮ））に接続され、ＤＲＸ設定はＭＮ、ＳＮのそれぞれから設定可能であり、ＭＮに紐づくサービングセルのグループ（Ｍａｓｔｅｒ  Ｃｅｌｌ  Ｇｒｏｕｐ（ＭＣＧ））、ＳＮに紐づくサービングセルのグループ（Ｓｅｃｏｎｄａｒｙ  Ｃｅｌｌ  Ｇｒｏｕｐ（ＳＣＧ））のそれぞれに対して適用される。【０００６】
ＬＴＥ−ＤＣの場合、ＤＲＸ時のセル品質の測定時間の規定におけるＤＲＸ  ｃｙｃｌｅについて、ＰＣｅｌｌ品質を測定する場合にはＭＣＧに設定されたＤＲＸ  ｃｙｃｌｅを適用し、ＰＳＣｅｌｌ品質を測定する場合にはＳＣＧに設定されたＤＲＸ  ｃｙｃｌｅを適用し、異周波数（未接続）セルの品質を測定する場合にはＭＣＧに設定されたＤＲＸ  ｃｙｃｌｅを適用することが規定されている。【０００７】
したがって、セル品質測定がＭＮから指示された場合でもＳＮから指示された場合でも、測定時間はＭＣＧに設定されたＤＲＸ  ｃｙｃｌｅに基づいて決定されることになる。このため、ＭＮとＳＮによって異なるＤＲＸ設定がされていた場合には、若しくはＭＮ、ＳＮの片方だけをＤＲＸ状態とした場合には、意図しない測定遅延が発生することになる。【０００８】
本発明は上記の点に鑑みてなされたものであり、無線通信システムにおいて、ＤＣ時の異周波数セルの測定に関して、測定対象セルのＲＡＴ（ＬＴＥまたはＮＲ）およびＤＲＸ設定を考慮した測定時間を適切に制御可能とすることで、ユーザ装置の接続安定性を向上させることを目的とする。
【課題を解決するための手段】
【０００９】
開示の技術によれば、マスタノードまたはセカンダリノードである基地局装置から品質測定の指示を受信する受信部と、前記指示に従って前記品質測定を行う制御部を備え、前記制御部は、前記品質測定を所定の間欠受信設定に従って行う、ユーザ装置が提供される。
【発明の効果】
【００１０】
開示の技術によれば、無線通信システムにおいて、ＤＣ時の異周波数セルの測定に関して、測定対象セルのＲＡＴ（ＬＴＥまたはＮＲ）およびＤＲＸ設定を考慮した測定時間を適切に制御可能とすることで、ユーザ装置の接続安定性を向上させることができる。
【図面の簡単な説明】
【００１１】
【図１】本発明の実施形態における無線通信システムを説明するための図である。
【図２】ユーザ装置がＤＲＸ状態である場合の品質測定時間の規定を示す表である。
【図３】ＥＮ−ＤＣの例を示す図である。
【図４】本発明の実施形態における動作を説明するためのフローチャートである。
【図５】本発明の実施形態における基地局装置１０の機能構成の一例を示す図である。
【図６】本発明の実施形態におけるユーザ装置２０の機能構成の一例を示す図である。
【図７】本発明の実施形態における基地局装置１０又はユーザ装置２０のハードウェア構成の一例を示す図である。
【発明を実施するための形態】
【００１２】
以下、図面を参照して本発明の実施形態を説明する。なお、以下で説明する実施形態は一例であり、本発明が適用される実施形態は、以下の実施形態に限られない。
【００１３】
本発明の実施形態の無線通信システムの動作においては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）を含む広い意味を有するものとする。
【００１４】
図１は、本発明の実施形態における無線通信システムを説明するための図である。図１に示されるように、本発明の実施形態における無線通信システムは、基地局装置１０Ａ、１０Ｂ及びユーザ装置２０を有する。なお、任意の基地局装置を示す場合には基地局装置１０と称する。
【００１５】
基地局装置１０Ａ、１０Ｂは、ユーザ装置２０との間で確立される無線ベアラを介してユーザ装置２０と通信を行う。基地局装置１０Ａ、１０Ｂは、「ｅＮＢ（ｅｎｈａｎｃｅｄ  ＮｏｄｅＢ）」、「ＮＲ（Ｎｅｗ  Ｒａｄｉｏ）ノード」、「ｇＮＢ（Ｎｅｘｔ  ｇｅｎｅｒａｔｉｏｎ  ＮｏｄｅＢ）」等と呼ばれてもよい。本実施形態において、基地局装置１０Ａはマスタノード（Ｍａｓｔｅｒ  Ｎｏｄｅ（ＭＮ））であり、基地局装置１０Ｂはセカンダリノード（Ｓｅｃｏｎｄａｒｙ  Ｎｏｄｅ（ＳＮ））である。
【００１６】
ユーザ装置２０は、スマートフォンのように大量のデータを頻繁に送受信する端末（ＭＢＢ（Ｍｏｂｉｌｅ  Ｂｒｏａｄ  Ｂａｎｄ）端末）、ＩｏＴデバイスのように少量のデータを低頻度で送受信する端末（ＭＴＣ(Ｍａｃｈｉｎｅ  Ｔｙｐｅ  Ｃｏｍｍｕｎｉｃａｔｉｏｎ)端末）等である。本発明の実施形態において、ユーザ装置２０は、あらゆる種別（ＵＥカテゴリ）のユーザ装置２０を含む。
【００１７】
Ｄｕａｌ  Ｃｏｎｎｅｃｔｉｖｉｔｙ（ＤＣ）時、ユーザ装置２０はＭＮ（基地局装置１０Ａ）およびＳＮ（基地局装置１０Ｂ）に接続される。
【００１８】
ＤＲＸ設定はＭＮ、ＳＮのそれぞれから設定可能であり、ＭＮ、ＳＮのそれぞれに紐づくサービングセルのグループ（ＭＣＧ、ＳＣＧ）に対して適用される。ＭＣＧ（Ｍａｓｔｅｒ  Ｃｅｌｌ  Ｇｒｏｕｐ）にはＰＣｅｌｌとＳＣｅｌｌが紐づけられており、ＳＣＧ（Ｓｅｃｏｎｄａｒｙ  Ｃｅｌｌ  Ｇｒｏｕｐ）にはＰＳＣｅｌｌとＳＣｅｌｌが紐づけられている。
【００１９】
図２は、非特許文献２に記載されたユーザ装置がＤＲＸ状態である場合の品質測定時間の規定を示す表である。図２に示されるように、ユーザ装置がＤＲＸ状態である場合の自セルおよび周辺セルの品質測定時間は、設定されたＤＲＸ ｃｙｃｌｅの整数倍で規定されている。
【００２０】
図３はＥＮ−ＤＣ（Ｅ−ＵＴＲＡ−ＮＲ  Ｄｕａｌ  Ｃｏｎｎｅｃｔｉｖｉｔｙ）の例を示す図である。
【００２１】
図３の例では、ＭＣＧを構成するセルのＲＡＴ（無線アクセス技術：Ｒａｄｉｏ  Ａｃｃｅｓｓ  Ｔｅｃｈｎｏｌｏｇｙ）はＬＴＥであり、ＳＣＧを構成するセルのＲＡＴはＮＲである。ＭＣＧについてはＭＮ（基地局装置１００Ａ）によってＤＲＸ設定がされており、ＤＲＸ  Ｃｙｃｌｅは１．２８秒に設定されている。ＳＣＧについてはＤＲＸ設定はされていない。
【００２２】
図３の（１）において、ユーザ装置２００はＳＮ（基地局装置１００Ｂ）からＮＲ  Ｃｅｌｌ（異周波）測定指示を受信する。
【００２３】
図３の（２）において、ユーザ装置２００はセル品質測定を実行する。
【００２４】
図３の（３）において、ＳＣＧはＤＲＸ状態ではないために、本来であれば測定時間はＳＭＴＣ（ＳＳＢ−ｂａｓｅｄ  ｍｅａｓｕｒｅｍｅｎｔ  ｔｉｍｉｎｇ  ｃｏｎｆｉｇｕｒａｔｉｏｎ）（＜１６０ｍｓ）の整数倍になるはずが、ＭＣＧに設定されたＤＲＸ  Ｃｙｃｌｅ（１．２８秒）の整数倍になってしまう。
【００２５】
図４は、本発明の実施形態における動作を説明するためのフローチャートである。図４に示されるように、本発明の実施形態において、ユーザ装置２０は、セル品質測定を所定のＤＲＸ設定に従って実行する。
【００２６】
ステップＳ１において、ユーザ装置２０は異周波測定指示をＭＮまたはＳＮから受信する。
【００２７】
ステップＳ２において、ユーザ装置２０は所定のＤＲＸ設定に従ってセル品質測定を実行する。
【００２８】
ステップＳ２における所定のＤＲＸ設定に従ってセル品質測定を実行する際のユーザ装置２０のより具体的な動作方法について説明する。
【００２９】
（動作方法１）
動作方法１として、ユーザ装置２０は、ＭＮ、ＳＮのどちらから指示されたセル品質測定であるかに関わらず、測定対象セルのＲＡＴのセルグループ（Ｃｅｌｌ  Ｇｒｏｕｐ（ＣＧ））におけるＤＲＸ設定に従って当該セル品質測定を実行してもよい。
【００３０】
例えば、ＬＴＥセルの測定時間はＬＴＥのＣＧにおけるＤＲＸ設定に従い、ＮＲセルの測定時間はＮＲのＣＧにおけるＤＲＸ設定に従う。
【００３１】
なお、ＭＣＧとＳＣＧのいずれもがＤＲＸ状態の場合には、どちらかのＤＲＸ  ｃｙｃｌｅに合わせてもよい。
【００３２】
（動作方法２）
動作方法２として、ユーザ装置２０は、ユーザ装置２０に対して品質測定を指示するノード（ＭＮまたはＳＮ）におけるＤＲＸ設定に従ってもよい。
【００３３】
例えば、ＭＮが指示した場合の測定はＭＣＧのＤＲＸ設定に従い、ＳＮが指示した場合の測定はＳＣＧのＤＲＸ設定に従う。
【００３４】
（動作方法３）
動作方法３として、ユーザ装置２０は、ネットワーク側から品質測定を指示される際に、ＭＮ、ＳＮいずれのＤＲＸ設定を適用するかを合わせて指示されてもよい。
【００３５】
なお、上記動作方法１、動作方法２、動作方法３の適用については、ＥＮ−ＤＣの場合とそれ以外の場合（ＮＲ  ｓｔａｎｄａｌｏｎｅの場合、ＮＲ−ＮＲ  ＤＣの場合、ＮＥ−ＤＣの場合）とで適用有無を切り替えてもよい。
【００３６】
また、上記動作方法１、動作方法２、動作方法３における測定時間は、Ｒａｄｉｏ  ｌｉｎｋ  ｍｏｎｉｔｏｒｉｎｇ（ＲＬＭ）やＢｅａｍ  ｆａｉｌｕｒｅ  ｄｅｔｅｃｔｉｏｎ（ＢＦＤ）における測定時間に適用してもよい。
【００３７】
（装置構成）
次に、これまでに説明した処理及び動作を実行する基地局装置１０及びユーザ装置２０の機能構成例を説明する。基地局装置１０及びユーザ装置２０は上述した実施例を実施する機能を含む。ただし、基地局装置１０及びユーザ装置２０はそれぞれ、実施例の中の一部の機能のみを備えることとしてもよい。
【００３８】
＜基地局装置１０＞
図５は、基地局装置１０の機能構成の一例を示す図である。図５に示されるように、基地局装置１０は、送信部１１０と、受信部１２０と、設定部１３０と、制御部１４０とを有する。図５に示される機能構成は一例に過ぎない。本発明の実施の形態に係る動作を実行できるのであれば、機能区分及び機能部の名称はどのようなものでもよい。
【００３９】
送信部１１０は、ユーザ装置２０側に送信する信号を生成し、当該信号を無線で送信する機能を含む。受信部１２０は、ユーザ装置２０から送信された各種の信号を受信し、受信した信号から、例えばより上位のレイヤの情報を取得する機能を含む。また、送信部１１０は、セル測定指示をユーザ装置２０に対して送信する。
【００４０】
設定部１３０は、予め設定される設定情報、及び、ユーザ装置２０に送信する各種の設定情報を記憶装置に格納し、必要に応じて記憶装置から読み出す。
【００４１】
制御部１４０は、実施形態において説明したように、基地局装置１０がＭＮである場合には、送信部１１０を介して、ＭＮに紐づくサービングセルのグループ（ＭＣＧ）に対してＤＲＸを設定し、基地局装置１０がＳＮである場合には、送信部１１０を介して、ＳＮに紐づくサービングセルのグループ（ＳＣＧ）に対してＤＲＸを設定する。制御部１４０における信号送信に関する機能部を送信部１１０に含め、制御部１４０における信号受信に関する機能部を受信部１２０に含めてもよい。
【００４２】
＜ユーザ装置２０＞
図６は、ユーザ装置２０の機能構成の一例を示す図である。図６に示されるように、ユーザ装置２０は、送信部２１０と、受信部２２０と、設定部２３０と、制御部２４０とを有する。図６に示される機能構成は一例に過ぎない。本発明の実施の形態に係る動作を実行できるのであれば、機能区分及び機能部の名称はどのようなものでもよい。
【００４３】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、セル測定指示を、ＭＮまたはＳＮである基地局装置１０から受信する。
【００４４】
設定部２３０は、受信部２２０により基地局装置１０又はユーザ装置２０から受信した各種の設定情報を記憶装置に格納し、必要に応じて記憶装置から読み出す。また、設定部２３０は、予め設定される設定情報も格納する。
【００４５】
制御部２４０は、実施形態において説明したように、基地局装置１０から受信したセル品質測定の指示に従ってセル品質測定を行う。また、制御部２４０は、所定のＤＲＸ設定に従ってセル品質測定を行う。
【００４６】
（ハードウェア構成）
なお、上記実施形態の説明に用いたブロック図（図５及び図６）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００４７】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００４８】
例えば、本開示の一実施形態における基地局装置１０、ユーザ装置２０などは、本開示の実施形態に係る処理を行うコンピュータとして機能してもよい。図７は、本開示の一実施形態に係る基地局装置１０及びユーザ装置２０のハードウェア構成の一例を示す図である。上述の基地局装置１０及びユーザ装置２０は、物理的には、プロセッサ１００１、記憶装置１００２、補助記憶装置１００３、通信装置１００４、入力装置１００５、出力装置１００６、バス１００７等を含むコンピュータ装置として構成されてもよい。
【００４９】
なお、以下の説明では、「装置」という文言は、回路、デバイス、ユニット等に読み替えることができる。基地局装置１０及びユーザ装置２０のハードウェア構成は、図に示した１００１〜１００６で示される各装置を１つ又は複数含むように構成されてもよいし、一部の装置を含まずに構成されてもよい。
【００５０】
基地局装置１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００５１】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Ｃｅｎｔｒａｌ  Ｐｒｏｃｅｓｓｉｎｇ  Ｕｎｉｔ）によって構成されてもよい。
【００５２】
また、プロセッサ１００１は、プログラム（プログラムコード）、ソフトウェアモジュール、データなどを、補助記憶装置１００３及び通信装置１００４の少なくとも一方から記憶装置１００２に読み出し、これらに従って各種の処理を実行する。プログラムとしては、上述の実施形態において説明した動作の少なくとも一部をコンピュータに実行させるプログラムが用いられる。例えば、図３に示した基地局装置１０の送信部１１０、受信部１２０、設定部１３０、制御部１４０は、記憶装置１００２に格納され、プロセッサ１００１において動作する制御プログラムによって実現されてもよい。また、例えば、図４に示したユーザ装置２０の送信部２１０と、受信部２２０と、設定部２３０、制御部２４０は、記憶装置１００２に格納され、プロセッサ１００１において動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００５３】
記憶装置１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）等の少なくとも１つによって構成されてもよい。記憶装置１００２は、レジスタ、キャッシュ、メインメモリ（主記憶装置）等と呼ばれてもよい。記憶装置１００２は、本開示の一実施形態に係る処理を実施するために実行可能なプログラム（プログラムコード）、ソフトウェアモジュール等を保存することができる。
【００５４】
補助記憶装置１００３は、コンピュータ読み取り可能な記録媒体であり、例えば、ＣＤ−ＲＯＭ（Ｃｏｍｐａｃｔ  Ｄｉｓｃ  ＲＯＭ）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。補助記憶装置１００３は、補助記憶装置と呼ばれてもよい。上述の記憶媒体は、例えば、記憶装置１００２及び補助記憶装置１００３の少なくとも一方を含むデータベース、サーバその他の適切な媒体であってもよい。
【００５５】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、基地局装置１０の送信部１１０及び受信部１２０は、通信装置１００４によって実現されてもよい。また、ユーザ装置２０の送信部２１０及び受信部２２０は、通信装置１００４によって実現されてもよい。
【００５６】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００５７】
また、プロセッサ１００１、記憶装置１００２などの各装置は、情報を通信するためのバス１００７によって接続される。バス１００７は、単一のバスを用いて構成されてもよいし、装置間ごとに異なるバスを用いて構成されてもよい。
【００５８】
また、基地局装置１０及びユーザ装置２０はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００５９】
（実施の形態のまとめ）
以上、説明したように、本開示の実施形態によれば、セル品質測定の指示を基地局装置から受信する受信部と、前記指示に従って前記セル品質測定を行う制御部を有し、前記制御部は、前記セル品質測定を所定のＤＲＸ設定に従って行う、ユーザ装置が提供される。
【００６０】
上記の構成により、無線通信システムにおいて、ＤＣ時の異周波数セルの測定に関して、測定対象セルのＲＡＴ（ＬＴＥまたはＮＲ）およびＤＲＸ設定を考慮した測定時間を適切に制御可能とすることで、ユーザ装置の接続安定性を向上することができる。
【００６１】
本開示の実施形態によれば、ユーザ装置２０は、前記基地局装置１０に関わらず、測定対象セルの無線アクセス技術のセルグループにおけるＤＲＸ設定に従って前記セル品質測定を行うことができる。
【００６２】
本開示の実施形態によれば、ユーザ装置２０は、前記指示を送信する前記基地局装置１０におけるＤＲＸ設定に従って前記セル品質測定を行うことができる。
【００６３】
本開示の実施形態によれば、ユーザ装置２０は、前記セル品質測定を行う際にマスタノードのＤＲＸ設定に従うべきかセカンダリノードのＤＲＸ設定に従うべきかの指示を前記基地局装置１０から受信することができる。
【００６４】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、基地局装置１０及びユーザ装置２０は機能的なブロック図を用いて説明されたが、そのような装置はハードウェアで、ソフトウェアで又はそれらの組み合わせで実現されてもよい。本発明の実施の形態に従って基地局装置１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００６５】
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージ等であってもよい。
【００６６】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００６７】
本明細書で説明した各態様／実施形態の処理手順、シーケンス、フローチャート等は、矛盾の無い限り、順序を入れ替えてもよい。例えば、本明細書で説明した方法については、例示的な順序で様々なステップの要素を提示しており、提示した特定の順序に限定されない。
【００６８】
本明細書において基地局装置１０によって行われるとした特定動作は、場合によってはその上位ノード（upper node）によって行われることもある。基地局装置１０を有する１つ又は複数のネットワークノード（network nodes）からなるネットワークにおいて、ユーザ装置２０との通信のために行われる様々な動作は、基地局装置１０及び／又は基地局装置１０以外の他のネットワークノード（例えば、ＭＭＥ又はＳ−ＧＷ等が考えられるが、これらに限られない）によって行われ得ることは明らかである。上記において基地局装置１０以外の他のネットワークノードが１つである場合を例示したが、複数の他のネットワークノードの組み合わせ（例えば、ＭＭＥ及びＳ−ＧＷ）であってもよい。
【００６９】
本明細書で説明した各態様／実施形態は単独で用いてもよいし、組み合わせて用いてもよいし、実行に伴って切り替えて用いてもよい。
【００７０】
ユーザ装置２０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００７１】
基地局装置１０は、当業者によって、ＮＢ（NodeB）、ｅＮＢ（evolved NodeB）、ｇＮＢ、ベースステーション（Base Station）、又はいくつかの他の適切な用語で呼ばれる場合もある。
【００７２】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【００７３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７４】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【００７５】
本開示の全体において、例えば、英語でのａ、ａｎ及びｔｈｅのように、翻訳により冠詞が追加された場合、これらの冠詞は、文脈から明らかにそうではないことが示されていなければ、複数のものを含み得る。
【００７６】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００７７】
１０        基地局装置
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020031332.tif 000003
【図２】
2020031332.tif 000004
【図３】
2020031332.tif 000005
【図４】
2020031332.tif 000006
【図５】
2020031332.tif 000007
【図６】
2020031332.tif 000008
【図７】
2020031332.tif 000009
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
Ｄｕａｌ  Ｃｏｎｎｅｃｔｉｖｉｔｙ（ＤＣ）において非接続状態にあるセルの品質測定の指示を受信する受信部と、
前記指示に従って前記品質測定を行う制御部とを備え、
前記制御部は、Ｓｅｃｏｎｄａｒｙ  Ｃｅｌｌ  Ｇｒｏｕｐ（ＳＣＧ）における間欠受信設定に基づく測定時間で前記品質測定を行う、
端末。
【請求項２】
前記受信部が前記指示をセカンダリノードから受信する場合であり且つ、
測定対象セルがＳｅｃｏｎｄａｒｙ  Ｃｅｌｌ  Ｇｒｏｕｐ（ＳＣＧ）である場合、当該ＳＣＧにおける間欠受信設定に基づく測定時間で、前記制御部は前記品質測定を行う、
請求項１に記載の端末。
【請求項３】
前記制御部は、測定対象セルがＭａｓｔｅｒ  Ｃｅｌｌ  Ｇｒｏｕｐ（ＭＣＧ）である場合、当該ＭＣＧにおける間欠受信設定に基づく測定時間で前記品質測定を行い、
前記測定対象セルが前記ＭＣＧである場合と前記ＳＣＧである場合とで前記品質測定の前記測定時間を切り替える、
請求項２に記載の端末。
【請求項４】
Ｄｕａｌ  Ｃｏｎｎｅｃｔｉｖｉｔｙ（ＤＣ）における非接続状態にあるセルの品質測定の指示を受信するステップと、
前記指示に従って前記品質測定を行うステップと、を備え、
前記品質測定を行うステップにおいて、Ｓｅｃｏｎｄａｒｙ  Ｃｅｌｌ  Ｇｒｏｕｐ（ＳＣＧ）における間欠受信設定に基づく測定時間で前記品質測定が行われる、
端末の測定方法。
【国際調査報告】
2020031332.tif 000010
2020031332.tif 000011
2020031332.tif 000012
2020031332.tif 000013